(57)【要約】【課題】  比較的高いセキュリティ設定された測定データ管理装置によって高い機密性を保ちながら測定データをスムーズに取得可能である医療管理システムおよび医療管理システムサーバプログラムを提供すること。【解決手段】  医療管理システム１０１は、試料に含まれる特定成分に関する測定を行う測定手段、この測定手段によって測定された測定データを送信する第１データ送信手段、を具備する試料測定装置２０１と、インターネット６００を介して上記測定データを受信する第１データ受信手段、上記測定データを記憶する第１測定データ記憶手段、および測定データ送信条件が成立したときに上記測定データの送信開始指令を出力するデータ送信指令手段、を具備するサーバ装置４０１と、上記データ送信指令手段の指令によって送信された上記測定データを記憶する第２測定データ記憶手段を有する測定データ管理装置５０１と、を備える。【選択図】  図１
2012230521.tif 000002
【特許請求の範囲】
【請求項１】
試料に含まれる特定成分に関する測定を行う測定手段、この測定手段によって測定された測定データを送信する第１データ送信手段、を具備する試料測定装置と、
公衆通信網を介して上記測定データを受信する第１データ受信手段、上記測定データを記憶する第１測定データ記憶手段、および測定データ送信条件が成立したときに上記測定データの送信開始指令を出力するデータ送信指令手段、を具備するサーバ装置と、
上記データ送信指令手段の指令によって送信された上記測定データを記憶する第２測定データ記憶手段を有する測定データ管理装置と、
を備える、医療管理システム。
【請求項２】
上記試料測定装置は、上記測定データとともに、測定日時を特定する測定日時データ、および測定対象者を特定する測定対象者データを上記第１データ送信手段によって送信し、
上記サーバ装置は、同一の上記測定対象者データについて複数回の測定にかかる上記測定データおよび上記測定日時データからなる測定データ群を生成する第１測定データ群生成手段を有し、
上記測定データ管理装置は、上記データ送信指令手段の指令によって送信された上記測定データ群を上記第２測定データ記憶手段に記憶する、請求項１に記載の医療管理システム。
【請求項３】
上記試料測定装置は、無線通信を介して、上記測定データとともに、測定日時を特定する測定日時データ、および測定対象者を特定する測定対象者データを、上記第１データ送信手段によって送信し、
無線通信を介して上記第１データ送信手段から送信された上記測定データ、上記測定日時データ、および上記測定対象者データを受信する第２データ受信手段と、公衆通信網を介して上記測定日時データ、および上記測定対象者データを送信する第２データ送信手段と、を具備する通信機器を備える、請求項２に記載の医療管理システム。
【請求項４】
上記試料測定装置は、無線通信を介して、上記測定データとともに、測定日時を特定する測定日時データ、および測定対象者を特定する測定対象者データを、上記第１データ送信手段によって送信し、
無線通信を介して上記第１データ送信手段から送信された上記測定データ、上記測定日時データ、および上記測定対象者データを受信する第２データ受信手段と、同一の上記測定対象者データについて複数回の測定にかかる上記測定データおよび上記測定日時データからなる測定データ群を生成する第２測定データ群生成手段と、公衆通信網を介して上記測定データ群を送信する第２データ送信手段と、を具備する通信機器を備える、請求項１に記載の医療管理システム。
【請求項５】
上記第１データ送信手段および上記第２データ受信手段は、Bluetooth規格に準拠した無線通信を行う、請求項３または４に記載の医療管理システム。
【請求項６】
上記サーバ装置において、上記データ送信指令手段は、所定の日時となったときに、上記送信開始指令を出力する、請求項２ないし５のいずれかに記載の医療管理システム。
【請求項７】
上記通信機器は、位置情報取得手段を備えており、
上記第２データ送信手段は、上記位置情報取得手段によって取得された位置情報を送信し、
上記データ送信指令手段は、上記第１データ受信手段によって受信された上記位置情報と上記測定データ管理装置の位置との関係があらかじめ定められた近接条件を満たすときに近接信号を生成する位置判断手段を含んでおり、かつ、上記近接信号が生成されると、上記測定データ送信条件が成立したと判断して上記測定データの送信開始指令を出力する、請求項３ないし５のいずれかに記載の医療管理システム。
【請求項８】
上記通信機器は、サーバデータ送信要求を生成するサーバデータ送信要求生成手段を備え、かつ上記第２データ送信手段が、上記サーバデータ送信要求を送信し、
上記サーバ装置においては、上記第１データ受信手段が上記サーバデータ送信要求を受信すると、上記データ送信指令手段が上記測定データ送信条件が成立したと判断して送信開始指令を出力する、請求項３ないし５のいずれかに記載の医療管理システム。
【請求項９】
第１データ送信手段は、公衆通信網にアクセス可能であり、
上記第１データ受信手段は、公衆通信網を介して上記第１データ送信手段によって送信された上記測定データ、上記測定日時データ、および上記測定対象者データを受信する、請求項２に記載の医療管理システム。
【請求項１０】
上記サーバ装置は、公衆通信網にアクセス可能な第３データ送信手段を備え、
上記測定データ管理装置は、公衆通信網にアクセス可能な第３データ受信手段を備え、
上記データ送信指令手段から上記送信開始指令が出力されると、上記第３データ送信手段から上記第３データ受信手段へと上記測定データ群が電子メール形式で送信される、請求項２ないし９のいずれかに記載の医療管理システム。
【請求項１１】
上記測定データ群は、テキストデータ、編集不可処理が施されたデータ、または暗号化処理が施されたデータの少なくともいずれか一つで送信される、請求項１０に記載の医療管理システム。
【請求項１２】
上記サーバ装置は、ＦＡＸ通信網にアクセス可能な第３データ送信手段を備え、
上記測定データ管理装置は、ＦＡＸ通信網にアクセス可能な第３データ受信手段を備え、
上記データ送信指令手段から上記送信開始指令が出力されると、上記第３データ送信手段から上記第３データ受信手段へと上記測定データ群がＦＡＸで送信される、請求項２ないし９のいずれかに記載の医療管理システム。
【請求項１３】
上記送信開始指令は、上記測定データ群を郵送によって上記測定データ管理装置の所在地に送付することを指示し、
上記第２測定データ記憶手段には、郵送によって送られた上記測定データ群が入力される、請求項２ないし９のいずれかに記載の医療管理システム。
【請求項１４】
公衆通信網を介して試料測定装置から送信された測定データを受信する第１データ受信手段、
測定データ送信条件が成立したときに上記測定データの送信開始指令を出力するデータ送信指令手段、
としてサーバ装置を実行させる、医療管理システムサーバプログラム。
【発明の詳細な説明】
【技術分野】
【０００１】
本発明は、医療管理システムおよび医療管理システムサーバプログラムに関する。
【背景技術】
【０００２】
図１７は、従来の医療管理システムの一例を示している。同図に示された医療管理システム９００は、試料測定装置９１、通信機器９２、サーバ装置９３、および測定データ管理装置９４を備えている。試料測定装置９１は、たとえば使用者が自己の血液を試料として血糖値測定を行う血糖自己測定装置（ＳＭＢＧ装置）である。通信機器９２は、例えば携帯型電話機であり、ケーブルによって試料測定装置９１と接続されている。サーバ装置９３は、試料測定装置９１の測定データを蓄積するためのものであり、通信機器９２から公衆通信網を介して試料測定装置９１の測定データを受信する。測定データ管理装置９４は、たとえば医療機関において上記使用者の診察を行う医師が使用するパーソナルコンピュータである。上記医師は、たとえば測定データ管理装置９４において、インターネットブラウザにサーバ装置９３を特定するＵＲＬを入力し、表示される入力画面からＩＤおよびパスワードを入力することにより、上記使用者の血糖値測定データを取得できる。取得した血糖値測定データは、上記使用者の治療や投薬を判断するために用いられる。
【０００３】
しかしながら、測定データ管理装置９４は、医療機関に置かれる場合、比較的高いセキュリティ設定が施される。このため、測定データ管理装置９４において、さまざまなＨＰにアクセス可能なインターネットブラウザを立ち上げることが好ましくない場合が多い。また、血糖値測定データは、個人情報として高い機密性が求められる。このため、ＩＤ、パスワードの入力といった人為的なミスが生じうる手法によって血糖値測定データを取得することは、好ましくない。さらに、上記使用者が血糖値測定データをサーバ装置９３に送信することを怠ると、上記医師が十分な血糖値測定データを取得することができないこととなり、適切な治療や投薬が妨げられてしまう。
【先行技術文献】
【特許文献】
【０００４】
【特許文献１】特開２００４−６２２８５号公報
【発明の概要】
【発明が解決しようとする課題】
【０００５】
本発明は、上記した事情のもとで考え出されたものであって、比較的高いセキュリティ設定が施された測定データ管理装置によって高い機密性を保ちながら測定データをスムーズに取得可能である医療管理システムおよび医療管理システムサーバプログラムを提供することをその課題とする。
【課題を解決するための手段】
【０００６】
本発明の第１の側面によって提供される医療管理システムは、試料に含まれる特定成分に関する測定を行う測定手段、この測定手段によって測定された測定データを送信する第１データ送信手段、を具備する試料測定装置と、公衆通信網を介して上記測定データを受信する第１データ受信手段、上記測定データを記憶する第１測定データ記憶手段、および測定データ送信条件が成立したときに上記測定データの送信開始指令を出力するデータ送信指令手段、を具備するサーバ装置と、上記データ送信指令手段の指令によって送信された上記測定データを記憶する第２測定データ記憶手段を有する測定データ管理装置と、を備える。
【０００７】
本発明の好ましい実施の形態においては、上記試料測定装置は、上記測定データとともに、測定日時を特定する測定日時データ、および測定対象者を特定する測定対象者データを上記第１データ送信手段によって送信し、上記サーバ装置は、同一の上記測定対象者データについて複数回の測定にかかる上記測定データおよび上記測定日時データからなる測定データ群を生成する第１測定データ群生成手段を有し、上記測定データ管理装置は、上記データ送信指令手段の指令によって送信された上記測定データ群を上記第２測定データ記憶手段に記憶する。
【０００８】
本発明の好ましい実施の形態においては、上記試料測定装置は、無線通信を介して、上記測定データとともに、測定日時を特定する測定日時データ、および測定対象者を特定する測定対象者データを、上記第１データ送信手段によって送信し、無線通信を介して上記第１データ送信手段から送信された上記測定データ、上記測定日時データ、および上記測定対象者データを受信する第２データ受信手段と、公衆通信網を介して上記測定日時データ、および上記測定対象者データを送信する第２データ送信手段と、を具備する通信機器を備える。
【０００９】
本発明の好ましい実施の形態においては、上記試料測定装置は、無線通信を介して、上記測定データとともに、測定日時を特定する測定日時データ、および測定対象者を特定する測定対象者データを、上記第１データ送信手段によって送信し、無線通信を介して上記第１データ送信手段から送信された上記測定データ、上記測定日時データ、および上記測定対象者データを受信する第２データ受信手段と、同一の上記測定対象者データについて複数回の測定にかかる上記測定データおよび上記測定日時データからなる測定データ群を生成する第２測定データ群生成手段と、公衆通信網を介して上記測定データ群を送信する第２データ送信手段と、を具備する通信機器を備える。
【００１０】
本発明の好ましい実施の形態においては、上記第１データ送信手段および上記第２データ受信手段は、Bluetooth規格に準拠した無線通信を行う。
【００１１】
本発明の好ましい実施の形態においては、上記サーバ装置において、上記データ送信指令手段は、所定の日時になったときに、上記送信開始指令を出力する。
【００１２】
本発明の好ましい実施の形態においては、上記通信機器は、位置情報取得手段を備えており、上記第２データ送信手段は、上記位置情報取得手段によって取得された位置情報を送信し、上記データ送信指令手段は、上記第１データ受信手段によって受信された上記位置情報と上記測定データ管理装置の位置との関係があらかじめ定められた近接条件を満たすときに近接信号を生成する位置判断手段を含んでおり、かつ、上記近接信号が生成されると、上記測定データ送信条件が成立したと判断して上記測定データの送信開始指令を出力する。
【００１３】
本発明の好ましい実施の形態においては、上記通信機器は、サーバデータ送信要求を生成するサーバデータ送信要求生成手段を備え、かつ上記第２データ送信手段が、上記サーバデータ送信要求を送信し、上記サーバ装置においては、上記第１データ受信手段が上記サーバデータ送信要求を受信すると、上記データ送信指令手段が上記測定データ送信条件が成立したと判断して送信開始指令を出力する。
【００１４】
本発明の好ましい実施の形態においては、第１データ送信手段は、公衆通信網にアクセス可能であり、上記第１データ受信手段は、公衆通信網を介して上記第１データ送信手段によって送信された上記測定データ、上記測定日時データ、および上記測定対象者データを受信する。
【００１５】
本発明の好ましい実施の形態においては、上記サーバ装置は、公衆通信網にアクセス可能な第３データ送信手段を備え、上記測定データ管理装置は、公衆通信網にアクセス可能な第３データ受信手段を備え、上記データ送信指令手段から上記送信開始指令が出力されると、上記第３データ送信手段から上記第３データ受信手段へと上記測定データ群が電子メール形式で送信される。
【００１６】
本発明の好ましい実施の形態においては、上記測定データ群は、テキストデータ、編集不可処理が施されたデータ、または暗号化処理が施されたデータの少なくともいずれか一つで送信される。
【００１７】
本発明の好ましい実施の形態においては、上記サーバ装置は、ＦＡＸ通信網にアクセス可能な第３データ送信手段を備え、上記測定データ管理装置は、ＦＡＸ通信網にアクセス可能な第３データ受信手段を備え、上記データ送信指令手段から上記送信開始指令が出力されると、上記第３データ送信手段から上記第３データ受信手段へと上記測定データ群がＦＡＸで送信される。
【００１８】
本発明の好ましい実施の形態においては、上記送信開始指令は、上記測定データ群を郵送によって上記測定データ管理装置の所在地に送付することを指示し、上記第２測定データ記憶手段には、郵送によって送られた上記測定データ群が入力される。
【００１９】
本発明の好ましい実施の形態においては、本発明の第２の側面によって提供される医療管理システムサーバプログラムは、公衆通信網を介して試料測定装置から送信された測定データを受信する第１データ受信手段、測定データ送信条件が成立したときに上記測定データの送信開始指令を出力するデータ送信指令手段、としてサーバ装置を実行させる。
【００２０】
このような構成によれば、上記サーバ装置に蓄積された上記測定データを取得するために、たとえば医師が上記測定データ管理装置でインターネットブラウザを開き、入力画面からＩＤおよびパスワードを入力するといった作業は不要である。このため、誤って異なる患者の測定データを取得してしまったり、意図しないコンピュータウイルスが侵入したりすることなどを防止することができる。したがって、比較的高いセキュリティ設定された測定データ管理装置によって高い機密性を保ちながら測定データをスムーズに取得することができる。
【００２１】
本発明のその他の特徴および利点は、添付図面を参照して以下に行う詳細な説明によって、より明らかとなろう。
【図面の簡単な説明】
【００２２】
【図１】本発明の第１実施形態に基づく医療管理システムを示す全体概念図である。
【図２】図１の医療管理システムに用いられる試料測定装置を示すシステム構成図である。
【図３】図１の医療管理システムに用いられる通信機器を示すシステム構成図である。
【図４】図１の医療管理システムに用いられるサーバ装置を示すシステム構成図である。
【図５】図１の医療管理システムに用いられる測定データ管理装置を示すシステム構成図である。
【図６】図１の医療管理システムに用いられる試料測定装置の動作を示すフローチャートである。
【図７】図１の医療管理システムに用いられる通信機器の動作を示すフローチャートである。
【図８】図１の医療管理システムに用いられるサーバ装置の動作を示すフローチャートである。
【図９】図１の医療管理システムに用いられるサーバ装置のデータ送信指令部の動作を示すフローチャートである。
【図１０】図１の医療管理システムに用いられる測定データ管理装置の動作を示すフローチャートである。
【図１１】図１の医療管理システムに用いられるサーバ装置のデータ送信指令部の他の例を示すシステム構成図である。
【図１２】図１１のデータ送信指令部の動作を示すフローチャートである。
【図１３】図１の医療管理システムに用いられる通信機器の他の例を示すシステム構成図である。
【図１４】図１３の通信機器の動作を示すフローチャートである。
【図１５】図１３の通信機器と組み合わされるサーバ装置の動作を示すフローチャートである。
【図１６】本発明の第２実施形態に基づく医療管理システムを示す全体概念図である。
【図１７】従来の医療管理システムの一例を示す全体概念図である。
【発明を実施するための形態】
【００２３】
以下、本発明の好ましい実施の形態につき、図面を参照して具体的に説明する。
【００２４】
図１は、本発明の第１実施形態に基づく医療管理システムを示している。本実施形態の医療管理システム１０１は、試料測定装置２０１、通信機器３０１、サーバ装置４０１、および測定データ管理装置５０１によって構成されている。
【００２５】
試料測定装置２０１は、たとえば使用者が自身の血糖値を測定するために用いる血糖自己測定装置（ＳＭＢＧ装置）として構成されており、図１および図２に示すように、測定部２２０、測定データ記憶部２３０、ディスプレイ２５０、制御部２６０、通信部２４０を備えている。試料測定装置２０１による測定には、センサ片２９０が用いられる。センサ片２９０には、点着部２９１が形成されている。試料測定装置２０１による測定においては、試料測定装置２０１にセンサ片２９０が挿入される。点着部２９１には、使用者の血液が点着される。
【００２６】
測定部２２０は、血糖値を測定する部位である。測定部２２０は、たとえば点着部２９１に血液が点着されたセンサ片２９０と導通する端子（図示略）を有しており、電気的手法により血糖値を測定する。測定データ記憶部２３０は、たとえばメモリであり、測定部２２０によって得られた測定データを記憶する。ディスプレイ２５０は、測定データなどを表示するための部位であり、たとえば液晶ディスプレイパネルである。
【００２７】
制御部２６０は、試料測定装置２０１の測定動作において各部位を制御するものであり、たとえばＣＰＵによって構成されている。通信部２４０は、本発明でいう第１データ送信手段の一例であり、無線通信を介してデータ送受信を行う。本実施形態においては、通信部２４０は、Bluetooth規格に準拠した無線通信を行う。これにより、通信部２４０は、双方向無線通信が可能である。本実施形態においては、測定データとともに、測定日時を特定する測定日時データ、および測定対象者を特定する測定対象者データが通信部２４０によって送信される。
【００２８】
通信機器３０１は、たとえば携帯型電話機であり、図１および図３に示すように、試料測定装置２０１から送信された測定データを受信、記憶し、またこれをインターネット（公衆通信網）６００を介してサーバ装置４０１に送信する機能を有する。通信機器３０１は、通信部３１０、通信部３２０、制御部３３０、測定データ記憶部３４０、ディスプレイ３５０、操作ボタン３６０、ＧＰＳ回路３８０を備えている。
【００２９】
通信部３１０は、本発明でいう第２データ受信手段の一例であり、無線通信を介してデータ送受信を行う。本実施形態においては、通信部３１０は、Bluetooth規格に準拠した無線通信を行う。これにより、通信部３１０は、試料測定装置２０１の通信部２４０と双方向無線通信が可能である。通信部３２０は、本発明でいう第２データ送信手段の一例であり、無線通信を介して携帯電話通信網にアクセスするための部位である。これにより、通信機器３０１は、携帯電話通信網、およびこれを介したインターネット６００へのアクセスが可能となっている。
【００３０】
制御部３３０は、通信機器３０１の通信動作において各部位を制御するものであり、たとえばＣＰＵによって構成されている。制御部３３０は、サーバデータ送信要求生成部３９０を有する。サーバデータ送信要求生成部３９０は、サーバ装置４０１を対象とするサーバデータ送信要求を生成する。測定データ記憶部３４０は、試料測定装置２０１の測定データ、測定日時データ、測定対象者データを一時的に記憶するためのものであり、たとえばメモリによって構成されている。ディスプレイ３５０は、たとえば液晶ディスプレイパネルによって構成されている。操作ボタン３６０は、ダイヤルキーや方向キーなどである。ＧＰＳ回路３８０は、上空にある衛星からの信号を受信することにより、現在位置を測定する回路であり、現在位置情報を出力する。通信機器３０１は、この現在位置情報を、通信部３２０からサーバ装置４０１へと送信することができる。
【００３１】
サーバ装置４０１は、図１および図４に示すように、インターネット６００にアクセス可能に構成されており、様々な使用者の測定データを記憶するためのものである。サーバ装置４０１は、通信部４２０、制御部４１０、および測定データ記憶部４３０を備えている。
【００３２】
通信部４２０は、本発明でいう第１データ受信手段および第３データ送信手段を兼ねるものであり、インターネット６００を介した双方向通信を行う。制御部４１０は、サーバ装置４０１の通信、記憶、データ操作、などの処理において各部位を制御するものであり、たとえばＣＰＵによって構成されている。制御部４１０は、糖尿病手帳データ生成部４４０およびデータ送信指令部４５０を有する。糖尿病手帳データ生成部４４０は、通信部４２０が受信した測定データ、測定日時データ、測定対象者データを基に、糖尿病手帳データを生成する。糖尿病手帳データは、試料測定装置２０１のある使用者についての測定データが時系列に整理されたものであり、本発明でいう測定データ群の一例に相当する。また、糖尿病手帳データ生成部４４０は、本発明でいう第１測定データ群生成手段の一例に相当する。データ送信指令部４５０は、測定データ管理装置５０１に向けて糖尿病手帳データの送信開始を指令する送信開始指令を出力する。本実施形態においては、この送信開始指令が出力されると、制御部４１０が通信部４２０に糖尿病手帳データの送信を行わせる。
【００３３】
測定データ記憶部４３０は、本発明でいう第１測定データ記憶手段の一例であり、たとえばメモリによって構成されている。測定データ記憶部４３０は、通信部４２０が受信した測定データ、測定日時データ、測定対象者データや、糖尿病手帳データ生成部４４０が生成した糖尿病手帳データを記憶する。
【００３４】
測定データ管理装置５０１は、たとえば試料測定装置２０１の使用者が通院する医療機関におかれたパーソナルコンピュータである。図１および図５に示すように、測定データ管理装置５０１は、通信部５２０、制御部５１０、および測定データ記憶部５３０を備えている。
【００３５】
通信部５２０は、本発明でいう第３データ受信手段の一例であり、インターネット６００を介した双方向通信を行う。ただし、測定データ管理装置５０１は、患者にあたる試料測定装置２０１の使用者の糖尿病手帳データという極めて高い機密性が要求される個人データを取り扱う。このため、測定データ管理装置５０１は、インターネット６００へのアクセスが制限されていることが一般的であり、たとえばインターネットブラウザによるインターネット６００へのアクセスが禁止されている。制御部５１０は、測定データ管理装置５０１における通信およびデータ管理などの処理において各部位を制御するものであり、たとえばＣＰＵからなる。測定データ記憶部５３０は、本発明でいう第２測定データ記憶手段の一例に相当する。測定データ記憶部５３０は、患者の糖尿病手帳データを記憶するためのものであり、たとえばメモリからなる。
【００３６】
次に、医療管理システム１０１の動作について、以下に説明する。
【００３７】
図６は、試料測定装置２０１の動作を示すフローチャートである。試料測定装置２０１においては、まず、ステップＳ２１において、電源ＯＮの状態とされる。この電源ＯＮは、たとえば図示しないセンサ片検知手段によってセンサ片２９０の挿入を検知することによって行ってもよい。
【００３８】
次いで、センサ片２９０が挿入されると、ステップＳ２２において試料測定が実施される。本実施形態においては、点着部２９１に点着された血液を試料とした血糖値測定が測定部２２０によって行われる。この測定データは、測定データ記憶部２３０に記憶される。
【００３９】
次いで、ステップＳ２３において、測定データ記憶部２３０に記憶された測定データ、測定日時データ、測定対象者データが通信部２４０からBluetooth規格に準拠した無線通信を介して通信機器３０１の通信部３１０へと送信される。これらの試料測定（ステップＳ２２）および測定データ送信（ステップＳ２３）は、センサ２９０が挿入されたのちに、順次自動的に行われる。そして、たとえばセンサ片２９０を試料測定装置２０１から引き抜くことにより、ステップＳ２４において試料測定装置２０１が電源ＯＦＦの状態とされる。
【００４０】
図７は、通信機器３０１の動作を示すフローチャートである。通信機器３０１においては、ステップＳ３１において通信可能な状態にされると、ステップＳ３２において試料測定装置２０１からの測定データ、測定日時データ、測定対象者データを通信部３１０が受信したかを判断する。通信部３１０が試料測定装置２０１の通信部２４０からBluetooth規格に準拠した無線通信を介して測定データ、測定日時データ、測定対象者データを受信すると、これらのデータを測定データ記憶部３４０に記憶する。そして、ステップＳ３３において測定データ記憶部３４０に記憶された測定データ、測定日時データ、測定対象者データを、通信部３２０からインターネット６００を介してサーバ装置４０１へと送信する。
【００４１】
図８は、サーバ装置４０１の動作を示すフローチャートである。サーバ装置４０１においては、ステップＳ４２において、通信機器３０１からの測定データ、測定日時データ、測定対象者データを通信部４２０が受信したかを判断する。通信部４２０が測定データ、測定日時データ、測定対象者データを受信すると、これらのデータを測定データ記憶部４３０に記憶する。
【００４２】
次いで、ステップＳ４３において、測定データ記憶部４３０に記憶された測定データ、測定日時データ、測定対象者データを用いて、糖尿病手帳データ生成部４４０が糖尿病手帳データを生成する。この糖尿病手帳データの作成は、測定対象者データに基づいて同一の使用者の複数の測定データを測定日時によって時系列に整理したものである。
【００４３】
次いで、ステップＳ４４においてデータ送信指令部４５０から送信開始指令が出力されたかを判断する。図９は、データ送信指令部４５０における送信開始指令の出力処理の一例を示すフローチャートである。Ｓ４４１において判断処理が開始すると、ステップＳ４４２において、現在日時が所定の日時になったかを判断する。現在日時は、制御部４１０が備える時計機能によって取得する。所定の日時は、たとえば使用者の次回通院日時の数時間前、あるいは一日前などに適宜設定され、あらかじめ糖尿病手帳データとともに記憶されている。現在日時が所定日時になると、データ送信指令部４５０は、ステップＳ４４３において送信開始指令を出力する。そして、ステップＳ４４４において出力処理が完了する。
【００４４】
なお、図３に示す通信機器３０１のサーバデータ送信要求生成部３９０によって生成されたサーバデータ送信要求が、通信部３２０から発信され、図４に示すサーバ装置４０１の通信部４２０によって受信されることを、図８に示すステップＳ４４におけるデータ送信指令手段４５０による送信開始指令出力の条件としてもよい。通信機器３０１においては、たとえば操作ボタン３６０による所定操作を使用者が行うと、サーバデータ送信要求生成部３９０がサーバデータ送信要求を生成し、サーバ装置４０１へと送信される。これにより、使用者が意図したタイミングで、サーバ装置４０１にデータ送信処理を行わせることができる。
【００４５】
送信開始指令が出力されると、図８に示すように、ステップＳ４５において糖尿病手帳データが測定データ管理装置５０１へと送信される。本実施形態においては、サーバ装置４０１から測定データ管理装置５０１への送信は、電子メール形式で送信される。具体的には、糖尿病手帳データは、電子メールのテキスト部分に記載された形式で送信される。あるいは、糖尿病手帳データは、たとえばＰＤＦデータなど編集不可処理が施されたデータとして電子メールに添付されて送信されてもよい。さらに、糖尿病手帳データは、暗号が付与された圧縮データなどの暗号化処理が施されたデータとして電子メールに添付されて送信されてもよい。電子メールの形式で送付された糖尿病手帳データは、図示しないメールサーバに蓄えられる。
【００４６】
図１０は、測定データ管理装置５０１の動作を示すフローチャートである。測定データ管理装置５０１においては、ステップＳ５１において通信可能な状態にされると、ステップＳ５２において糖尿病手帳データの受信を試みる。具体的には、通信部５２０を介して制御部５１０が上記メールサーバにアクセスする。測定データ管理装置５０１には、あらかじめ上記メールサーバのアドレスおよび測定データ管理装置５０１ごとに付与されたＩＤ、パスワードが記憶設定されている。そして、上記メールサーバへのアクセスは、測定データ管理装置５０１にインストールされたメールソフトが定められたスケジュールに従って自動的に行う。糖尿病手帳データを含む電子メールを受信すると、ステップＳ５３において糖尿病手帳データが測定データ記憶部５３０に記憶される。この後は、測定データ記憶部５３０に記憶された糖尿病手帳データを医師が閲覧することにより、この糖尿病手帳データに対応する使用者（患者）の治療や投薬を検討する。
【００４７】
次に、医療管理システム１０１の作用について説明する。
【００４８】
本実施形態によれば、サーバ装置４０１に蓄積された糖尿病手帳データを取得するために、医師が測定データ管理装置５０１でインターネットブラウザを開き、入力画面からＩＤおよびパスワードを入力するといった作業は不要である。このため、誤って異なる患者の糖尿病手帳データを取得してしまったり、意図しないコンピュータウイルスが侵入したりすることなどを防止することができる。したがって、比較的高いセキュリティ設定された測定データ管理装置５０１によって高い機密性を保ちながら糖尿病手帳データをスムーズに取得することができる。
【００４９】
電子メールによる糖尿病手帳データの送信は、取得の都度に医師がＩＤやパスワードを入力することを省略するのに適している。ＰＤＦデータなどの編集不可処理が施されたデータ形式で糖尿病手帳データを送信すれば、意図しない内容書き換えを未然に防ぐことができる。また、暗号化処理が施されたデータ形式で糖尿病手帳をデータ送信すれば、送信されたデータファイルが万が一第三者の手にわたっても、不当に閲覧されることを防止することができる。
【００５０】
通院予定日時に基づく所定日時と現在日時とを比較することにより、サーバ装置４０１のデータ送信指令部４５０においてデータ送信開始指令を生成することは、使用者が通院する際に、糖尿病手帳データが医療機関に送信されている状態とするのに適している。使用者は、糖尿病手帳データの送信を意識する必要がなく、便利である。
【００５１】
試料測定装置２０１と通信機器３０１とをBluetooth規格に準じた無線通信を介して送受信可能とすることにより、試料測定装置２０１が通信機器３０１に対してBluetooth規格に準じた無線通信が可能な距離にあれば試料測定装置２０１から通信機器３０１へのデータ送信が自動的に行われる。このため、使用者は、試料測定装置２０１による測定を行えば、測定データの送信のための特別な操作をする必要はない。特に、試料測定装置２０１は、センサ片２９０の抜き差しによって電源ＯＮ／ＯＦＦが切り替えられる構成であるため、使用者は、測定のための操作であるセンサ片２９０の抜き差しだけをすれば、一連の医療管理システム１０１の動作が達成される。
【００５２】
測定データ管理装置５０１への糖尿病手帳データの送信は、電子メール形式に限定されない。たとえば、図８に示すステップＳ４４において送信開始指令が出力されると、通信部４２０がいわゆるインターネットＦＡＸサービスを利用して、測定データ管理装置５０１が置かれたたとえば医療機関に糖尿病手帳データがＦＡＸで送信される構成であってもよい。この場合、たとえば上記医療機関の職員が、ＦＡＸ送信された糖尿病手帳データを測定データ管理装置５０１に入力する。このような構成であっても、比較的高いセキュリティ設定された測定データ管理装置５０１によって高い機密性を保ちながら糖尿病手帳データをスムーズに取得することができる。
【００５３】
また、測定データ管理装置５０１への糖尿病手帳データの送信は、図８に示すステップＳ４４において送信開始指令が出力されると、郵送によって測定データ管理装置５０１が置かれたたとえば医療機関に糖尿病手帳データが送信される構成であってもよい。この場合、たとえば上記医療機関の職員が、郵送された糖尿病手帳データを測定データ管理装置５０１に入力する。このような構成であっても、比較的高いセキュリティ設定された測定データ管理装置５０１によって高い機密性を保ちながら糖尿病手帳データをスムーズに取得することができる。
【００５４】
図１１〜図１６は、本発明にかかる医療管理システムの変形例および他の実施形態を示している。なお、これらの図において、上記実施形態と同一または類似の要素には、上記実施形態と同一の符号を付している。
【００５５】
図１１は、サーバ装置４０１のデータ送信指令部４５０の変形例を示している。本変形例においては、データ送信指令部４５０は、位置判断部４５１を備えている。本変形例においては、図８のステップＳ４４は、図１２に示すフローチャートにしたがって処理される。
【００５６】
ステップＳ４４１において処理が開始すると、ステップＳ４４５において位置情報が受信されたかを判断する。本変形例の場合、通信機器３０１は、ＧＰＳ回路３８０によって出力された現在位置情報を送信する状態が選択されており、定められたスケジュールにしたがって、現在位置情報を通信部３２０から送信している。
【００５７】
サーバ装置４０１の通信部４２０が現在位置情報を受信すると、位置判断部４５１は、ステップＳ４４６において通信機器３０１の現在位置と特定位置との相対関係を算出する。特定位置は、たとえばこの使用者が通院する医療機関の位置であり、相対関係の算出は、たとえば現在位置と特定位置との距離である。この距離があらかじめ定められた基準距離以下となった場合、近接条件が成立する。この近接条件の成立は、使用者が診療を受けるため医療機関に向かっていると判断したことを意味する。そして、ステップ４４３において、データ送信指令部４５０は、送信開始指令を出力する。
【００５８】
このような変形例によっても、比較的高いセキュリティ設定された測定データ管理装置５０１によって高い機密性を保ちながら糖尿病手帳データをスムーズに取得することができる。また、位置情報を利用したデータ送信開始指令の生成は、たとえば使用者が予定していなかった日時に通院することになった場合であっても、糖尿病手帳データを通院する医療機関に置かれた測定データ管理装置５０１に確実に送信することができる。
【００５９】
図１３は、通信機器３０１の変形例を示している。本変形例においては、制御部３３０に糖尿病手帳データ生成部３７０が設けられている。図１４は、本変形例における通信機器３０１の動作を示すフローチャートである。ステップＳ３２において、測定データ、測定日時データ、測定対象者データを受信すると、ステップＳ３４において糖尿病手帳データ生成部３７０は、上述した糖尿病手帳データを生成する。そして、ステップＳ３５において、この糖尿病手帳データを通信部３２０からサーバ装置４０１へと送信する。
【００６０】
図１５は、本変形例におけるサーバ装置４０１の動作を示すフローチャートである。本変形例においては、ステップＳ４６において通信部４２０が糖尿病手帳データを受信すると、ステップＳ４４の送信開始指令の出力を経て、ステップＳ４５において糖尿病手帳データが測定データ管理装置５０１へと送信される。なお、サーバ装置４０１は、図８に示す動作と図１５に示す動作との双方を実行可能に構成されてもよい。
【００６１】
このような変形例によっても、比較的高いセキュリティ設定された測定データ管理装置５０１によって高い機密性を保ちながら糖尿病手帳データをスムーズに取得することができる。
【００６２】
図１６は、本発明の第２実施形態に基づく医療管理システムを示している。本実施形態の医療管理システム１０２は、上述した通信機器３０１を介することなく、試料測定装置２０１からサーバ装置４０１へと測定データ、測定日時データ、測定対象者データがインターネット６００を経由して送信される。試料測定装置２０１の通信部２４０は、たとえば携帯電話通信網を介してインターネット６００にアクセス可能に構成されている。このような構成であっても、比較的高いセキュリティ設定された測定データ管理装置５０１によって高い機密性を保ちながら糖尿病手帳データをスムーズに取得することができる。
【００６３】
本発明に係る医療管理システムおよび医療管理システムサーバプログラムは、上述した実施形態に限定されるものではない。本発明に係る医療管理システムおよび医療管理システムサーバプログラムの各部の具体的な構成は、種々に設計変更自在である。
【００６４】
本発明でいう通信機器は、携帯型電話機に限定されず、試料測定装置と無線通信を介して可能な機器であればよく、たとえばBluetooth規格に準拠した無線通信を介したデータ送受信が可能に構成されたパーソナルコンピュータであってもよい。本発明でいう試料測定装置は、ＳＭＢＧ機器に限定されず、測定データを通信機器に、または通信機器を介して、収集することが好ましい様々な測定に供されるものに適用可能である。本発明でいう無線通信は、Bluetooth規格に準拠した無線通信機に限定されず、試料測定装置と通信機器とのデータ送受信を実現可能なものであればよい。
【符号の説明】
【００６５】
１０１，１０２  医療管理システム
２０１  試料測定装置
２２０  測定部（測定手段）
２３０  測定データ記憶部（測定データ記憶手段）
２４０  通信部（第１データ送信手段）
２５０  ディスプレイ
２６０  制御部
２９０  センサ片
２９１  点着部
３０１  通信機器
３１０  通信部（第２データ受信手段）
３２０  通信部（第２データ送信手段）
３３０  制御部
３４０  測定データ記憶部
３５０  ディスプレイ
３６０  操作ボタン
３７０  糖尿病手帳データ生成部（第２測定データ群生成手段）
３８０  ＧＰＳ回路
３９０  サーバデータ送信要求生成部
４０１  サーバ装置
４１０  制御部
４２０  通信部（第１データ受信手段、第３データ送信手段）
４３０  測定データ記憶部（第１測定データ記憶手段）
４４０  糖尿病手帳データ生成部（第１測定データ群生成手段）
４５０  データ送信指令部（データ送信指令手段）
５０１  測定データ管理装置
５１０  制御部
５２０  通信部（第３測定データ受信部）
５３０  測定データ記憶部（第２測定データ記憶手段）
６００  インターネット（公衆通信網）
【図１】
2012230521.tif 000003
【図２】
2012230521.tif 000004
【図３】
2012230521.tif 000005
【図４】
2012230521.tif 000006
【図５】
2012230521.tif 000007
【図６】
2012230521.tif 000008
【図７】
2012230521.tif 000009
【図８】
2012230521.tif 000010
【図９】
2012230521.tif 000011
【図１０】
2012230521.tif 000012
【図１１】
2012230521.tif 000013
【図１２】
2012230521.tif 000014
【図１３】
2012230521.tif 000015
【図１４】
2012230521.tif 000016
【図１５】
2012230521.tif 000017
【図１６】
2012230521.tif 000018
【図１７】
2012230521.tif 000019